(57)【要約】【課題】支柱に対してリフトアームを着脱しなくても、リフトアームを収納及び使用でき、かつ、該着脱しなくても、リフトアームを異なる２つのエリアで使用できるようにする。【解決手段】介護用リフト装置１は、部屋を第１エリアＡ１と第２エリアＡ２とに連絡口Ｑを残して仕切る間仕切り１０を備えている。その間仕切り１０の内部には、開口部Ｐを備えた収納スペース１１が設けられている。その収納スペース１１内には、支柱２０が設置されている。その支柱２０に、要介護者をリフトするためのリフトアーム３０が支持されている。そのリフトアーム３０は、支柱２０の回りを開口部Ｐと連絡口Ｑとを通過して移動可能に構成されている。そして、該支柱２０の回りの移動により、収納スペース１１内に収納される収納状態と、収納スペース１１内から第１エリアＡ１へ延びる使用第１状態と、第２エリアＡ２へ延びる使用第２状態とに変更可能に構成されている。【選択図】図１
0003197296.tif 000002
【実用新案登録請求の範囲】
【請求項１】
部屋を第１エリア（Ａ１）と第２エリア（Ａ２）とに両エリアを連絡する連絡口（Ｑ）を残して仕切る間仕切り（１０）を備え、間仕切り（１０）の内部に、第１エリア（Ａ１）及び第２エリア（Ａ２）の少なくともいずれか一方に開口した開口部（Ｐ）を備えた収納スペース（１１）が設けられ、
収納スペース（１１）内に、支柱（２０）が設置され、
支柱（２０）に、要介護者をリフトするためのリフトアーム（３０）が支持され、リフトアーム（３０）は、支柱（２０）の回りを開口部（Ｐ）及び連絡口（Ｑ）を通過して移動可能に構成されて、該支柱（２０）の回りの移動により、収納スペース（１１）内に収納される収納状態と、収納スペース（１１）内から第１エリア（Ａ１）へ延びる使用第１状態と、収納スペース（１１）内から第２エリア（Ａ２）へ延びる使用第２状態とに変更可能に構成された介護用リフト装置。
【請求項２】
リフトアーム（３０）は、支柱（２０）に基端部（３１ａ）にて水平面内で回動可能に支持されて該支柱（２０）から水平方向に延出したエクステンションアーム（３１）と、エクステンションアーム（３１）の延出端部（３１ｄ）に基端部にて上下傾動可能に取り付けた昇降アーム（３２）と、昇降アーム（３２）の先端部に吊下されたハンガーアーム（３３）とを含み構成された請求項１記載の介護用リフト装置。
【請求項３】
エクステンションアーム（３１）の延出端部（３１ｄ）に、昇降アーム（３２）を上下傾動させる駆動装置（４０）が取り付けられ、駆動装置（４０）は、収納状態ではリフトアーム（３０）と一緒に収納スペース（１１）内に収納される構成である請求項２記載の介護用リフト装置。
【請求項４】
エクステンションアーム（３１）は、長さ方向中間部の２箇所以上に水平面内で曲がる関節部（３１ｂ，３１ｃ）を備えた請求項２又は３記載の介護用リフト装置。
【請求項５】
開口部（Ｐ）は、第１エリア（Ａ１）に開口した正面開口部（Ｐａ１）と、連絡口（Ｑ）に開口した側面開口部（Ｐｑ）と、第２エリア（Ａ２）に開口した背面開口部（Ｐａ２）とを備えたことで、第１エリア（Ａ１）と連絡口（Ｑ）と第２エリア（Ａ２）とに開口し、
リフトアーム（３０）は、使用第１状態のときには、収納スペース（１１）内から正面開口部（Ｐａ１）を経て第１エリア（Ａ１）へ延び、使用第２状態のときには、収納スペース（１１）内から背面開口部（Ｐａ２）を経て第２エリア（Ａ２）へ延びる構成である請求項２〜４のいずれか一項に記載の介護用リフト装置。
【請求項６】
ハンガーアーム（３３）は、昇降アーム（３２）にその先端部から基端側に向けてスライド可能に吊下されたことで、ハンガーアーム（３３）を昇降アーム（３２）の長さ方向中間部に吊下した状態で、リフトアーム（３０）を収納スペース（１１）に収納可能に構成された請求項２〜５のいずれか一項に記載の介護用リフト装置。
【請求項７】
リフトアーム（３０）は、支柱（２０）に対して着脱可能に取り付けられた請求項１〜６のいずれか一項に記載の介護用リフト装置。
【請求項８】
昇降アーム（３２）の基端部と駆動装置（４０）とは、エクステンションアーム（３１）の延出端部（３１ｄ）に対して着脱可能に取り付けられた請求項３記載の介護用リフト装置。
【請求項９】
収納スペース（１１）の下方には、水平方向に延びる棚板（１４）が設けられた請求項７又は８記載の介護用リフト装置。
【請求項１０】
間仕切り（１０）に、開口部（Ｐ）を開閉する扉（１２，１３）が取り付けられた請求項１〜９のいずれか一項に記載の介護用リフト装置。
【請求項１１】
開口部（Ｐ）は、第１エリア（Ａ１）に開口した正面開口部（Ｐａ１）と、連絡口（Ｑ）に開口した側面開口部（Ｐｑ）とを備えたことで、第１エリア（Ａ１）と連絡口（Ｑ）とに開口し、
扉（１２）は、正面開口部（Ｐａ１）を覆う正面部（１２ａ）と、側面開口部（Ｐｑ）を覆う側面部（１２ｑ）とを備え、扉（１２）は、間仕切り（１０）に対してスライド可能に取り付けられ、一方にスライドすると、正面開口部（Ｐａ１）と側面開口部（Ｐｑ）とが開き、他方にスライドすると、正面開口部（Ｐａ１）と側面開口部（Ｐｑ）とが閉じる構成である請求項１０記載の介護用リフト装置。
【考案の詳細な説明】
【技術分野】
【０００１】
本考案は、病人、怪我人、身体障害者等のように自分で身体を動かしにくい方（以下、「要介護者」という。）を介護するために使用する介護用リフトに関するものである。
【背景技術】
【０００２】
この種の介護用リフトは、要介護者を、例えばベッドからベッドサイドや車椅子に移したり、トイレに座らせたり、風呂に入れたりする等、色々な状況において使用される。このため、従来の介護用リフトは、色々な場所へ移動できるようにキャスタが付いたベースフレームを備え、ベースフレームに支柱が立設され、支柱の上部に、要介護者をリフトするためのリフトアームが基端部にて上下傾動可能に支持され、支柱の下部に、リフトアームの先端部を昇降させる駆動装置が取り付けられていた。
【０００３】
ところが、この介護用リフトでは、転倒しないように、ベースフレームが平面視でかなり大きく形成されていた。このため、病院のように部屋が大きく十分なスペースがある所では使用できても、一般家庭のように部屋が小さく十分なスペースがない所では、床面に置かれた色々な物にベースフレームが当たってしまい、自由に移動できないことがあり、非常に使用しにくかった。また、例えば縁側や玄関のように大きな段差を越えさせることができず、使用可能範囲が極めて狭かった。その一方、複数の介護用リフトを色々な場所に置くのは、経済的にもスペース的にも無駄が大きい。
【０００４】
そこで、本出願人は、図１０に示す従来例の介護用リフト９０（特許文献１）を開発した。その介護用リフト９０は、支柱９２を備え、支柱９２の上部に、要介護者をリフトするためのリフトアーム９３が基端部にてワンタッチで着脱可能に取り付けられる。そのリフトアーム９３は、基端部を軸に上下傾動可能であり、支柱９２の下部には、リフトアーム９３を上下傾動させる駆動装置９４がワンタッチで脱着可能に取り付けられる。
【先行技術文献】
【特許文献】
【０００５】
【特許文献１】特開平７−１４４００９号公報
【考案の概要】
【考案が解決しようとする課題】
【０００６】
その介護用リフト９０によれば、支柱９２から、リフトアーム９３及び駆動装置９４（以下、「リフトアーム等９３，９４」という。）をワンタッチで分離して容易に移動させることができる。そのため、支柱９２を寝室、トイレ、洗面所、浴室、縁側、玄関等の色々な部屋の壁面等に予め設置しておけば、それらの各支柱９２にリフトアーム等９３，９４を付け替えることによって、容易に様々な場所で介護用リフト９０を使用することができる。そのため、一般家庭のように部屋が小さくて十分なスペースがない場合であっても、介護用リフト９０を広範囲で使用することができる。
【０００７】
しかしながら、次に示す課題もある。すなわち、まず、不使用時にリフトアーム９３等を収納する場合には、その収納の度に、支柱９２からリフトアーム等９３，９４を取り外さなければならない。そして更に、使用の度に、支柱９２に対してリフトアーム等９３，９４を取り付けなければならない。そのため、収納及び使用を頻繁に繰り返す場合には、たとえワンタッチで着脱可能とはいえ、着脱作業が手間になってしまう。
【０００８】
また更に、介護用リフト９０を異なる２つのエリアで交互に連続的に使用する場合、例えば、初めは寝室で使用し、次にトイレで使用し、次に再び寝室で使用する場合には、その都度、寝室又はトイレにある各支柱９２に対して、リフトアーム等９３，９４を付け替えなければならない。そのため、この場合も、たとえワンタッチで着脱可能とはいえ、着脱作業が手間になってしまう。
【０００９】
また更に、その２つのエリア間の要介護者の移動は、介護用リフト９０で行うことはできず、要介護者を介護用リフト９０から車椅子等に乗せ替えて行わなければならないので、その乗替え作業が手間になってしまう。
【００１０】
そこで、支柱に対してリフトアームを着脱しなくても、リフトアームを収納及び使用できるようにすること（簡単に収納及び使用可能）を第１の目的とする。また、異なる２つのエリアのそれぞれに支柱を設置してそれらの支柱に対してリフトアームを付け替えなくても、リフトアームを該２つのエリアで使用できるようにすること（２つのエリアで簡単に使用可能）を第２の目的とする。また更に、該２つのエリア間の要介護者の移動を、要介護者を車椅子等に乗せ替えることなく行えるようにすること（乗せ替えなしで移動可能）を第３の目的とする。
【課題を解決するための手段】
【００１１】
上記第１〜第３の目的を達成するため、本考案の介護用リフト装置は、次のように構成されている。すなわち、本考案の介護用リフト装置は、部屋を第１エリアと第２エリアとに両エリアを連絡する連絡口を残して仕切る間仕切りを備え、間仕切りの内部に、第１エリア及び第２エリアの少なくともいずれか一方に開口した開口部を備えた収納スペースが設けられ、収納スペース内に、支柱が設置され、支柱に、要介護者をリフトするためのリフトアームが支持され、リフトアームは、支柱の回りを開口部及び連絡口を通過して移動可能に構成されて、該支柱の回りの移動により、収納スペース内に収納される収納状態と、収納スペース内から第１エリアへ延びる使用第１状態と、収納スペース内から第２エリアへ延びる使用第２状態とに変更可能に構成されている。
【００１２】
第１エリア及び第２エリアの各エリアは、特に限定されないが、寝室、トイレ、洗面所、浴室、縁側、玄関等を例示する。より具体的には、第１エリアが寝室で第２エリアがトイレである場合や、第１エリアがトイレで第２エリアが浴室である場合等を例示する。
【００１３】
［間仕切り］
間仕切りには、特に限定されないが、開口部を開閉する扉が取り付けられていることが好ましい。リフトアーム等を見栄え良く収納することができるからである。その扉の態様は、特に限定されないが、開口部全体を一気に開閉できる点で、次のように構成されていることが好ましい。すなわち、開口部は、第１エリアに開口した正面開口部と、連絡口に開口した側面開口部とを備えたことで、第１エリアと連絡口とに開口し、扉は、正面開口部を覆う正面部と、側面開口部を覆う側面部とを備え、扉は、間仕切りに対してスライド可能に取り付けられ、一方にスライドすると、正面開口部と側面開口部とが開き、他方にスライドすると、正面開口部と側面開口部とが閉じる構成である態様である。
【００１４】
扉がスライドする方向は、特に限定されないが、次の１，２の態様を例示する。
（１）扉は、間仕切りに対して上下方向にスライド可能に取り付けられた態様。
（２）扉は、間仕切りに対して水平方向にスライド可能に取り付けられた態様。
【００１５】
［リフトアーム］
リフトアームの態様は、特に限定されないが、次の態様を例示する。すなわち、リフトアームは、支柱に基端部にて水平面内で回動可能に支持されて該支柱から水平方向に延出したエクステンションアームと、エクステンションアームの延出端部に基端部にて上下傾動可能に取り付けた昇降アームと、昇降アームの先端部に吊下されたハンガーアームとを含み構成された態様である。
【００１６】
リフトアームを、第１エリアと第２エリアとに延出し易くするための構造は、特に限定されないが、次のア，イの態様を例示する。
（ア）エクステンションアームは、長さ方向中間部の２箇所以上に水平面内で曲がる関節部を備えた態様。
（イ）開口部は、第１エリアに開口した正面開口部と、連絡口に開口した側面開口部と、第２エリアに開口した背面開口部とを備えたことで、第１エリアと連絡口と第２エリアとに開口し、リフトアームは、使用第１状態のときには、収納スペース内から正面開口部を経て第１エリアへ延び、使用第２状態のときには、収納スペース内から背面開口部を経て第２エリアへ延びる構成である態様。
【００１７】
ハンガーアームは、リフトアームをコンパクトに収納できる点で、次のように吊下されていることが好ましい。すなわち、ハンガーアームは、昇降アームにその先端部から基端側に向けてスライド可能に吊下されたことで、ハンガーアームを昇降アームの長さ方向中間部に吊下した状態で、リフトアームを収納スペースに収納可能に構成されていることである。
【００１８】
リフトアームは、支柱に対して取外し不能に取り付けられていてもよいが、着脱可能に取り付けられていることが好ましい。従来例と同様に他の部屋等に別の支柱を設置しておけば、必要に応じて支柱からリフトアームを外して、それらを該別の支柱に対して取り付けることもできるからである。そして、収納スペースの下方には、水平方向に延びる棚板が設けられていることが好ましい。リフトアームを取り外した際に、収納スペースを棚として利用することができるからである。
【００１９】
［駆動装置］
昇降アームを上下傾動させるための構造は、特に限定されないが、次の構造を例示する。すなわち、エクステンションアームの延出端部に、昇降アームを上下傾動させる駆動装置が取り付けられ、駆動装置は、収納状態ではリフトアームと一緒に収納スペース内に収納される構成である態様である。
【００２０】
昇降アームの基端部と駆動装置とは、エクステンションアームの延出端部に対して、取外し不能に取り付けられていてもよいが、着脱可能に取り付けられていることが好ましい。他の部屋等に別の支柱と別のエクステンションアームとを設置しておけば、必要に応じてエクステンションアームから昇降アーム及びハンガーアーム並びに駆動装置を取り外して、それらを該別のエクステンションアームに対して取り付けることもできるからである。また、上記と同様に収納スペースの下方に棚板を設けておけば、昇降アームと駆動装置とを取り外した際に、収納スペースの空いたスペースを棚として利用することができるからである。
【００２１】
その着脱可能な取付け構造は、特に限定されないが、次の態様を例示する。すなわち、開口部のある受け部材と、該受け部材にその開口部から挿入されて係合する係合部材との組み合わせによって着脱可能に取り付けられる態様である。
【考案の効果】
【００２２】
本考案によれば、リフトアームは、支柱の回りの移動により、収納状態と使用状態（使用第１状態と使用第２状態）とに変更可能に構成されているので、支柱からリフトアームを取り外さなくても、該支柱の回りの移動だけで、リフトアームを収納状態と使用状態とに変更することができる。よって、第１の目的（簡単に収納及び使用可能）を達成することができる。そのため、リフトアームの収納及び使用を頻繁に繰り返す場合にも、収納作業及び使用準備作業が手間にならない。
【００２３】
また、リフトアームは、支柱の回りの移動により、第１エリアへ延びる使用第１状態と第２エリアに延びる使用第２状態とに変更可能に構成されているので、第１エリア及び第２エリアのそれぞれに支柱を設置してそれらの支柱に対してリフトアームを付け替えなくても、該支柱の回りの移動だけで、リフトアームを第１エリアから第２エリアに又はその反対に移動させて、それら２つのエリアで順に使用することができる。よって、第２の目的（２つのエリアで簡単に使用可能）を達成することができる。そのため、リフトアームを該２つのエリアで交互に順に連続的に使用する場合等に、リフトアームの使用準備作業が手間にならない。
【００２４】
また、リフトアームで要介護者をリフトしたままの状態で、リフトアームを使用第１状態から使用第２状態に又はその反対に変更すれば、要介護者を車椅子等に乗せ替えなくても、この介護用リフト装置だけで、要介護者を第１エリアから第２エリアに又はその反対に移動させることができる。よって、第３の目的（乗せ替えなしで移動可能）を達成することができる。そのため、要介護者を該移動させる作業が手間にならない。
【図面の簡単な説明】
【００２５】
【図１】実施例１の介護用リフト装置の収納状態を示す平面図である。
【図２】実施例１の介護用リフト装置の使用第１状態を示す平面図である。
【図３】実施例１の介護用リフト装置の使用第２状態を示す平面図である。
【図４】実施例１の介護用リフト装置において、ａは収納状態を示す正面断面図（図１のIVａ-IVａ断面図）、ｂは使用第１状態を示す側面断面図（図２のIVｂ-IVｂ断面図）である。
【図５】実施例２の介護用リフト装置の収納状態を示す平面図である。
【図６】実施例２の介護用リフト装置の使用第１状態を示す平面図である。
【図７】実施例２の介護用リフト装置の使用第２状態を示す平面図である。
【図８】実施例２の介護用リフト装置において、ａは収納状態を示す正面断面図（図５のVIIIａ-VIIIａ断面図）、ｂは使用第１状態を示す側面断面図（図６のVIIIｂ-VIIIｂ断面図）である。
【図９】実施例３の介護用リフト装置において、ａは収納状態を示す正面断面図、ｂは使用第１状態を示す側面断面図である。
【図１０】従来例の介護用リフトにおいて、ａは支柱に対してリフトアーム及び駆動装置を取り付ける前の状態を示す正面図、ｂは取り付けた状態を示す正面図である。
【考案を実施するための形態】
【００２６】
図１〜図９に示す本考案の介護用リフト装置１〜３は、部屋を第１エリアＡ１と第２エリアＡ２とに、両エリアを連絡する連絡口Ｑを残して仕切る間仕切り１０を備えている。その間仕切り１０の内部には、少なくとも第１エリアＡ１に開口した開口部Ｐを備えた収納スペース１１が設けられている。その収納スペース１１内の連絡口Ｑ寄りに、支柱２０が設置されている。
【００２７】
その支柱２０に、要介護者をリフトするためのリフトアーム３０が支持されている。そのリフトアーム３０は、支柱２０の回りを開口部Ｐと連絡口Ｑとを通過して移動可能に構成されている。そして、該支柱２０の回りの移動により、収納スペース１１内に収納される収納状態と、収納スペース１１内から第１エリアＡ１へ延びる使用第１状態と、収納スペース１１内から第２エリアＡ２へ延びる使用第２状態とに変更可能に構成されている。
【実施例１】
【００２８】
図１〜図４に示す本実施例１の介護用リフト装置１は、次に示す、間仕切り１０と、支柱２０と、リフトアーム３０と、駆動装置４０とを含み構成されている。なお、本実施例１でいう第１エリアＡ１は寝室であり、第２エリアＡ２はトイレである。よって、第１エリアＡ１には、ベッド７が設置されており、第２エリアＡ２にはトイレ８が設置されている。
【００２９】
間仕切り１０の収納スペース１１の開口部Ｐは、第１エリアＡ１に開口した正面開口部Ｐａ１と、連絡口Ｑに開口した側面開口部Ｐｑとを備えたことで、第１エリアＡ１と連絡口Ｑとの２方向に開口している。そして、収納スペース１１の下方には、水平方向に延びる棚板１４が設けられている。また、この間仕切り１０には、その開口部Ｐを開閉する扉１２が取り付けられている。その扉１２は、正面開口部Ｐａ１を覆う正面部１２ａと、側面開口部Ｐｑを覆う側面部１２ｑとを備えている。そして、間仕切り１０に対して上下方向にスライド可能に取り付けられている。それにより、その扉１２は、上昇すると、正面開口部Ｐａ１と側面開口部Ｐｑとが同時に開き、下降すると、正面開口部Ｐａ１と側面開口部Ｐｑとが同時に閉じる構成になっている。
【００３０】
支柱２０は、上下方向に延びる軸材であって、収納スペース１１内に回動不能に設置されている。
【００３１】
リフトアーム３０は、支柱２０に対して着脱可能に取り付けられている。このリフトアーム３０は、エクステンションアーム３１と、昇降アーム３２と、ハンガーアーム３３とを含み構成されている。エクステンションアーム３１は、その基端部３１ａにて支柱２０に水平面内で回動可能に支持されており、該支柱２０から水平方向に延出している。そして、昇降アーム３２は、その基端部にてエクステンションアーム３１の延出端部３１ｄの上部に、着脱可能に取り付けられている。その昇降アーム３２は、基端部を軸に上下傾動可能である。そして、ハンガーアーム３３は、昇降アーム３２の先端部に吊下されている。そのハンガーアーム３３に、スリングシート（図示略）等を介して要介護者を吊す構成になっている。
【００３２】
詳しくは、エクステンションアーム３１は、長さ方向中間部の２箇所に水平面内で曲がる関節部３１ｂ，３１ｃを備えている。そして、該リフトアーム３０は、収納状態のときには、図１に示すように、収納スペース１１内に収納され、使用第１状態のときには、図２に示すように、収納スペース１１内から正面開口部Ｐａ１を経て第１エリアＡ１へ延び、使用第２状態のときには、図３に示すように、収納スペース１１内から側面開口部Ｐｑを経て第２エリアＡ２へ延びる構成になっている。
【００３３】
駆動装置４０は、昇降アーム３２を上下傾動させる装置であって、エクステンションアーム３１の延出端部３１ｄの下部に着脱可能に取り付けられている。この駆動装置４０は、電動モータ又は流体圧シリンダを内蔵した駆動部４１と、該駆動部４１によって繰出及び退入するロッド４２とからなる。そして、駆動部４１の基端部が、エクステンションアーム３１の延出端部３１ｄの下部に着脱可能に取り付けられている。その駆動部４１は、基端部を軸に鉛直面内で回動可能である。そして、ロッド４２の先端部は、昇降アーム３２の長さ方向中間部の下部に着脱可能に取り付けられている。そのロッド４２は、先端部を軸に鉛直面内で回動可能である。そして、この駆動装置４０は、収納状態ではリフトアーム３０と一緒に収納スペース１１内に収納される構成になっている。
【００３４】
本実施例１によれば、次のＡ〜Ｇの効果を得ることができる。
［Ａ］リフトアーム３０は、支柱２０の回りの移動により、収納状態と使用状態（使用第１状態と使用第２状態）とに変更可能に構成されているので、支柱２０からリフトアーム３０を取り外さなくても、該支柱２０の回りの移動だけで、リフトアーム３０を収納状態と使用状態とに変更することができる。そのため、リフトアーム３０の収納及び使用を頻繁に繰り返す場合にも、収納作業及び使用準備作業が手間にならない。
【００３５】
［Ｂ］リフトアーム３０は、支柱２０の回りの移動により、第１エリアＡ１へ延びる使用第１状態と第２エリアＡ２に延びる使用第２状態とに変更可能に構成されているので、第１エリアＡ１及び第２エリアＡ２のそれぞれに支柱２０を設置してそれらの支柱２０に対してリフトアーム３０を付け替えなくても、該支柱２０の回りの移動だけで、リフトアーム３０を第１エリアＡ１から第２エリアＡ２に又はその反対に移動させて、それらの２つのエリアＡ１，Ａ２で順に使用することができる。そのため、リフトアーム３０を該２つのエリアＡ１，Ａ２で交互に順に連続的に使用する場合等にも、リフトアーム３０の使用準備作業が手間にならない。
【００３６】
［Ｃ］リフトアーム３０で要介護者をリフトしたままの状態で、リフトアーム３０を使用第１状態から使用第２状態に又はその反対に変更すれば、要介護者を、車椅子等に乗せ替えなくても、この介護用リフト装置１だけで、要介護者を第１エリアＡ１から第２エリアＡ２に又はその反対に移動させることができる。そのため、要介護者を該移動させる作業が手間にならない。また、リフトアーム３０は、第１使用状態と第２使用状態との間の中間状態でも自由に使用することができるため、使い勝手がよい。
【００３７】
［Ｄ］リフトアーム３０は、支柱２０に対して着脱可能に取り付けられているため、従来例と同様に他の部屋等に別の支柱を設置しておけば、必要に応じて支柱２０からリフトアーム３０及び駆動装置４０（以下「リフトアーム等３０，４０」という。）を取り外して、それを該別の支柱に対して取り付けることもできる。よって、その場合には、第１エリアＡ１及び第２エリアＡ２以外のエリアでも、同じリフトアーム等３０，４０を使用して要介護者をリフトすることができる。
【００３８】
［Ｅ］昇降アーム３２の基端部と駆動装置４０とは、エクステンションアーム３１の延出端部３１ｄに対して着脱可能に取り付けられているため、他の部屋等に別の支柱と別のエクステンションアームとを設置しておけば、必要に応じてエクステンションアーム３１から昇降アーム３２、ハンガーアーム３３及び駆動装置４０（以下「昇降アーム等３２，３３，４０」という。）を取り外して、それらを該別のエクステンションアームに対して取り付けることもできる。よって、その場合には、第１エリアＡ１及び第２エリアＡ２以外のエリアでも、同じ昇降アーム等３２，３３，４０を使用して要介護者をリフトすることができる。
【００３９】
［Ｆ］収納スペース１１の下方には棚板１４が設けられているので、支柱２０からリフトアーム等３０，４０を取り外した際や、エクステンションアーム３１から昇降アーム等３２，３３，４０を取り外した際には、収納スペース１１の空いたスペースを棚として利用することができる。
【００４０】
［Ｇ］エクステンションアーム３１は、２つの関節部３１ｂ，３１ｃを備えているので、本実施例１のように、収納スペース１１の開口部Ｐが、第１エリアＡ１と連絡口Ｑとの２方向にのみ開口し、第２エリアＡ２には開口しない場合にも、リフトアーム３０を第２エリアＡ２へ簡単に延ばすことができる。また、２つの関節部３１ｂ，３１ｃで曲げて折り畳むことで、リフトアーム３０をコンパクトに収納することができる。
【実施例２】
【００４１】
図５〜図８に示す本実施例２の介護用リフト装置２は、実施例１と比較して、次に示す点で相違し、その他の点で同様である。
【００４２】
すなわち、間仕切り１０の開口部Ｐは、正面開口部Ｐａ１と側面開口部Ｐｑとに加えて、第２エリアＡ２に開口した背面開口部Ｐａ２を備えたことで、第１エリアＡ１と連絡口Ｑと第２エリアＡ２との３方向に開口している。そして、間仕切り１０には、前述の扉１２の他に、背面開口部Ｐａ２を開閉する別の扉１３が取り付けられている。
【００４３】
そして、エクステンションアーム３１は、長さ方向中間部に水平方向に回動可能な関節部３１ｃを１つしか備えていない。すなわち、実施例１に記載の関節部３１ｂを備えていない。そして、リフトアーム３０は、収納状態のときには、図５に示すように、収納スペース１１内に収納され、使用第１状態のときには、図６に示すように、収納スペース１１内から正面開口部Ｐａ１を経て第１エリアＡ１に延び、使用第２状態のときには、図７に示すように、収納スペース１１内から背面開口部Ｐａ２を経て第２エリアＡ２に延びる構成になっている。
【００４４】
本実施例２によれば、実施例１に記載のＡ〜Ｆの効果に加えて、次のＧ’の効果を得ることができる。
【００４５】
［Ｇ’］開口部Ｐは、第１エリアＡ１と連絡口Ｑと第２エリアＡ２との３方向に開口し、リフトアーム３０は、使用第１状態のときには、正面開口部Ｐａ１を経て第１エリアＡ１に延び、使用第２状態のときには、背面開口部Ｐａ２を経て第２エリアＡ２に延びるので、本実施例２のように、エクステンションアーム３１が、関節部３１ｃを１つしか備えない場合でも、リフトアーム３０を第１エリアＡ１及び第２エリアＡ２のいずれにも簡単に延ばすことができる。
【実施例３】
【００４６】
図９に示す本実施例３の介護用リフト装置３は、実施例１と比較して、次に示す点で相違し、その他の点で同様である。
【００４７】
すなわち、ハンガーアーム３３は、昇降アーム３２にその先端部から基端側に向けてスライド可能に吊下されている。これにより、ハンガーアーム３３を昇降アーム３２の長さ方向中間部に吊下した状態で、リフトアーム３０を収納スペース１１に収納可能に構成されている。
【００４８】
詳しくは、昇降アーム３２には、その長さ方向にスライド可能なスライド部材３２ａが取り付けられ、そのスライド部材３２ａにハンガーアーム３３が吊下されている。そして、昇降アーム３２の先端部には、スライド部材３２ａをスライド不能に固定するための凹部３２ｂが設けられている。
【００４９】
本実施例３によれば、実施例１に記載のＡ〜Ｇの効果に加えて、次のＨの効果を得ることができる。
【００５０】
［Ｈ］ハンガーアーム３３を昇降アーム３２の長さ方向中間部に吊下した状態で、リフトアーム３０を収納スペース１１に収納できるため、リフトアーム３０をコンパクトに収納することができる。そのため、収納スペース１１を小さくすることができる。また、小さくしないのであれば、収納スペース１１に余裕ができ、空いたスペースを棚として利用することができる。
【００５１】
なお、本考案は上記実施例に限定されるものではなく、考案の趣旨を逸脱しない範囲で各部の構成や形状を任意に変更して実施することもできる。
【符号の説明】
【００５２】
１    介護用リフト装置１（実施例１）
２    介護用リフト装置２（実施例２）
３    介護用リフト装置３（実施例３）
１０    間仕切り
１１    収納スペース
１２    扉
１２ａ  扉の正面部
１２ｑ  扉の側面部
１３    別の扉
１４    棚板
２０    支柱
３０    リフトアーム
３１    エクステンションアーム
３１ａ  エクステンションアームの基端部
３１ｂ  エクステンションアームの関節部
３１ｃ  エクステンションアームの関節部
３１ｄ  エクステンションアームの延出端部
３２    昇降アーム
３３    ハンガーアーム
４０    駆動装置
Ａ１    第１エリア
Ａ２    第２エリア
Ｐ      開口部
Ｐａ１  正面開口部
Ｐａ２  背面開口部
Ｐｑ    側面開口部
Ｑ      連絡口
【図１】
0003197296.tif 000003
【図２】
0003197296.tif 000004
【図３】
0003197296.tif 000005
【図４】
0003197296.tif 000006
【図５】
0003197296.tif 000007
【図６】
0003197296.tif 000008
【図７】
0003197296.tif 000009
【図８】
0003197296.tif 000010
【図９】
0003197296.tif 000011
【図１０】
0003197296.tif 000012